(57)【要約】【課題】格納式はツマミなど突起形状を設けられないなどの制約事項が多いなかで、操作性と表示部の視認性がよい加熱調理器を提供する。【解決手段】本体の前面に操作部４を略垂直に設け、前記操作部が略垂直位置での操作部上部に回動の軸４ａを配し、操作部は上部を中心にし略垂直から略水平まで回動自在に構成し、操作部４の配設面５はいかなる状態においても本体外側に対峙し使用可能とすることで、配設面にダイヤル型の調整つまみ４ｂなど突起のある形状も配置が可能になる。【選択図】図１
2005331119.tif 000002
【特許請求の範囲】
【請求項１】
外郭を構成する本体と、前記本体の上部に載置したトッププレートと、前記トッププレートに置かれた調理容器を加熱する加熱部と、前記本体の前面に加熱条件をコントロールする操作部とを備え、前記操作部は、操作部の上部に回転の中心軸を有し操作面が略垂直状態から略水平まで回動自在に構成した加熱調理器。
【請求項２】
操作部は、加熱部への入力を調整する前記操作部の表面より突起した操作つまみを有する請求項１に記載の加熱調理器。
【請求項３】
操作部は、略垂直から略水平までの回動範囲内で固定可能とした請求項１に記載の加熱調理器。
【請求項４】
操作部は、略水平まで回動したときトッププレートと略同一面もしくはトッププレートより上面となる構成とした請求項１に記載の加熱調理器。
【請求項５】
操作部は、加熱部への入力を表示する表示素子を備えた請求項１に記載の加熱調理器。
【発明の詳細な説明】
【技術分野】
【０００１】
本発明は、本体の前面に加熱条件をコントロールする操作部を略垂直に設けた加熱調理器に関するものである。
【背景技術】
【０００２】
従来、この種の加熱調理器は操作部を本体内への格納式とし、格納時は操作部の配設面が機体に入り込む構成となっていた（例えば、特許文献１参照）。
【０００３】
図５は前記公報に記載された従来の加熱調理器を示すものである。図５に示すように、１０１は外郭を構成する本体で、本体１０１の上部には調理容器を載置するトッププレート１０２を備え、トッププレート１０２の下部には誘導加熱を行う誘導加熱コイルあるいは輻射加熱を行う電気ヒータやハロゲンヒータからなる加熱手段１０３が配置されている。本体１０１の前方側面部には開閉格納式の操作部１０４を設け、加熱手段１０４への入力調整や操作に応じた表示も操作部１０４で行っている。操作部１０４は操作部下方を中心に回動し開閉格納を行うものである。
【０００４】
上記構成の動作を説明する。加熱手段１０４への入力調整などを行う場合、格納されている操作部１０４を前方下向きに回動させることで配設面が現れ操作が可能となる。また操作が終了すれば操作部１０４を回動させ機体奥に押し込むことで配設面１０５が機体に入り込む。
【特許文献１】特開平３−１１４１８６号公報
【発明の開示】
【発明が解決しようとする課題】
【０００５】
しかしながら、上記従来の構成では、操作部１０４は操作部下方を中心に回動し開閉格納するために配設面１０５にダイヤル型のツマミなど突起のある形状は設けられず、操作は押しボタン式に限定されていた。また配設面１０５の傾斜角度の調整は格納する部位が大型化するため困難であるなど制約事項が多いことが課題を有していた。また、操作部１０４は配設面１０５が略垂直状態であっても、調理を行う際にはトッププレート１０２上の調理容器内の状況を見ながら操作するのは位置が離れているため困難である。また操作部１０４の配設面１０５が一定傾斜面で固定されている場合においてもやはり同様に困難であった。
【０００６】
本発明は上記従来の問題点を解決するもので、操作性と表示部の視認性がよい加熱調理器を提供することを目的とする。
【課題を解決するための手段】
【０００７】
前記課題を解決するために、本発明の加熱調理器は、本体の前面には加熱条件をコントロールする操作部を略垂直に設け、前記操作部が略垂直位置での操作部上部に回動の軸を配し、操作部は上部を中心にし略垂直から略水平まで回動自在に構成したものである。この構成では、略垂直に設けた操作部は上部を中心にし略垂直から略水平まで回動自在であるため、使用状況に応じて操作部の配設面を回動方向の任意の位置に変更できかつダイヤル型のツマミなど突起のある形状も操作部の配設面に配置することができ、さらに調理を行う際にはトッププレート上の調理容器内の状況を見ながら操作することが簡単となる。
【発明の効果】
【０００８】
本発明の加熱調理器は、使用者が操作部の配設面を回動方向の任意の位置に変更できるため、操作性と表示部の視認性を良くすることができる。
【発明を実施するための最良の形態】
【０００９】
第１の発明は、外郭を構成する本体と、前記本体の上部に載置したトッププレートと、前記トッププレートに置かれた調理容器を加熱する加熱部と、前記本体の前面に加熱条件をコントロールする操作部とを備え、前記操作部は、操作部の上部に回転の中心軸を有し操作面が略垂直状態から略水平まで回動自在に構成したことで、使用状況に応じて操作部の配設面を回動方向の任意の位置に変更できかつダイヤル型のツマミなど突起のある形状も操作部の配設面に配置することができ操作性と表示部の視認性が良くなる。
【００１０】
第２の発明は、操作部には加熱部への入力を調整する前記操作部の表面より突起した操作つまみを配置する構成とすることで、使用状況に応じて操作部の配設面を回動方向の任意の位置に変更できかつダイヤル型のツマミなど突起のある形状も操作部の配設面に配置することができ操作性と表示部の視認性が良くなる。
【００１１】
第３の発明は、操作部は略垂直から略水平まで回動範囲の中で一時固定が可能な構成とすることで、使用状況に応じて操作部の配設面を回動方向の任意の位置に固定できるため操作部の配設面に配置することができ操作性と表示部の視認性が良くなる。
【００１２】
第４の発明は、操作部は略水平まで回動したときトッププレートと略同一面もしくはトッププレートより上面となる構成とすることで、使用状況に応じて操作部の配設面を回動方向の任意の位置に変更できかつ操作部は略水平まで回動したときにトッププレートと同一面以上になるため調理を行いながらの操作が容易になり、操作性と表示部の視認性が良くなる。
【００１３】
第５の発明は、操作部に配設面に加熱部への入力などを表示する表示素子を設けることで、使用状況に応じて操作部の配設面を回動方向の任意の位置に固定できさらに加熱部への入力状態などを表示素子に表示を行うため、操作性と表示部の視認性が良くなる。
【００１４】
（実施の形態１）
図１は本発明の第１の実施形態における加熱調理器の断面図、図２は同加熱調理器の外観斜視図、図３は同加熱調理器の操作部を回動させた場合の主要断面図である。
【００１５】
図１〜３において、１は外郭を構成する本体で、本体１の上部には調理容器を載置するトッププレート２を備え、トッププレート２の下部には誘導加熱を行う誘導加熱コイルあるいは輻射加熱を行う電気ヒータやハロゲンヒータからなる加熱手段３が配置されている。４は本体１前面に設けられた操作部で、配設面５に加熱手段３への入力を調整する調整つまみ４ｄや状態を表示する表示部４ｅをそなえ、配設面５近傍に調整つまみ４ｄからの入力を電気信号へ変換することや表示を行う操作基板４ｆを設けている。操作部４は操作部上部にある回転軸４ａを中心に回動が自在に取付けられている。操作部４には操作部４の回動時に姿勢を固定するフック９設けている。フック９は操作部４に設けたフック回転軸４ｂに対し回動自在に設け、常に自重もしくはバネによって鉛直あるいは回転方向に付勢されている。またフック９の一部は複数のキー溝が形成されて、フック９のキー溝に対峙するフック固定部１ａを本体１に設けている。フック９は操作部４に回転軸４ａに対してできる限り先端に設ける方が望ましい。６は表示基板４ｆ等からの情報により加熱手段３への入力を制御する制御基板であり、制御基板６上には発振用トランジスタやその他の電子部品が載置されている。制御基板６あるいは加熱手段３の異常加熱を防止する冷却ファン７を設け、各部位の発熱状況に応じて動作し冷却風を発生させる。冷却風は、トッププレート２後方の吸気口８より本体内に入り吸気経路１０を経て冷却ファン７に至る。冷却ファン７を通過した冷却風は分散し各高温部の冷却を行う。
【００１６】
以上のように構成された誘導加熱調理器について、その動作、作用を説明する。外部の操作により、操作部４を回転軸４ａに対し回転方向に手前上方に引き上げる（図２の断面図において時計回りに回動）。操作部４が回動することで下向きに付勢されているフック９はフック固定部１ａ上面をキー溝が越えながら摺動していく。操作部４の手前上方に引き上げるのを停止した場合、操作部４は自由落下によりいったん外部の操作と逆方向に回動を開始するが、キー溝がフック固定部１ａに係合されるためフック９は拘束状態となる。そのためフック９が回転自在に取付けている操作部４も配設面５が傾斜もしくは水平状態で固定状態となる。フック９のキー溝はフック固定部１ａに対して手前上方に引き上げ（図２の断面図において時計回りに回動）時は斜面で摺動し、押し込み（図２の断面図において半時計回りに回動）時は立面でフック固定部１ａに当接する、のこぎり形状となっている。操作部４を本体１に収納する場合は、フック９を外部操作などで上方に押し上げフック９のキー溝とフック固定部１ａの係合を解除しながら操作部４を押し込み（図２の断面図において半時計回りに回動）略垂直位置に戻すことができる。
【００１７】
以上のように、本実施の形態においては、操作部４を操作部上部にある回転軸４ａを中心に回動が自在に取付けられていることにより、操作部４の配設面５はいかなる状態においても本体外側に対峙し使用可能であるのと同時に、配設面にダイヤル型の調整つまみ４ｂなど突起のある形状も配置が可能になる。
【００１８】
また使用者の姿勢などの使用状況に応じて配設面５の傾斜角度を任意に変更することで操作性と表示部の視認性を向上することができる。
【００１９】
（実施の形態２）
図４は本発明の第２の実施形態の誘導加熱調理器である。
【００２０】
図４において、操作部４は配設面５を水平面となるまで回転軸を中心に回動させた状態である。配設面５はトッププレート２と同一平面かそれ以上の位置で係止する。
【００２１】
前記構成の動作は実施の形態１と同様なので省略する。これにより調理を行う際にはトッププレート２上の調理容器内の状況を見ながら操作することは簡単となり、操作性と表示部の視認性を良くすることができる。
【００２２】
（実施の形態３）
図３は本発明の第２の実施形態の誘導加熱調理器である。
【００２３】
図３において、操作部４には加熱部２への入力などを表示する表示素子を設けたものである。
【００２４】
以上のように構成された誘導加熱調理器について、その動作、作用を説明する。操作部基板上に液晶パネルや発光ダイオドーを設け、加熱部２への入力やタイマーなど表示を行う。液晶パネルや発光ダイオドーの表示は配設面５に行い操作を行いながらの表示確認が可能となる。これにより状態を簡単に認識できるため、操作性と表示部の視認性を良くすることができる。
【産業上の利用可能性】
【００２５】
以上のように、本発明にかかわる加熱調理器は、使用状況に応じて操作部の配設面を回動方向の任意の位置に変更できかつダイヤル型のツマミなど突起のある形状も操作部の配設面に配置することができ操作性と表示部の視認性が良くなる構成の加熱調理器の用途として有用である。
【図面の簡単な説明】
【００２６】
【図１】本発明の第１及び２及び３の実施形態を示す加熱調理器の断面図
【図２】本発明の第１の実施形態を示す同加熱調理器の外観斜視図
【図３】本発明の第１及び３の操作部を回動させた場合の主要断面図
【図４】本発明の第２の操作部を回動させた場合の主要断面図
【図５】従来例を示す加熱調理器の外観斜視図
【符号の説明】
【００２７】
１  本体
１ａ  フック固定部
２  トッププレート
３  加熱手段
４  操作部
４ａ  回転軸
４ｂ  フック回転軸
４ｃ  表示素子
４ｄ  調整つまみ
４ｅ  表示部
４ｆ  操作基板
５  配設面
６  制御基板
７  冷却ファン
８  吸気口
９  フック
１０  吸気経路
【図１】
2005331119.tif 000003
【図２】
2005331119.tif 000004
【図３】
2005331119.tif 000005
【図４】
2005331119.tif 000006
【図５】
2005331119.tif 000007